(57)【要約】      （修正有）【課題】画像形成装置内の環境が変化した場合であっても、モノクロ印刷時にブラックに対応する感光体ドラムの下流側に配置された感光体ドラムへの逆転写の発生を抑制することができる。【解決手段】制御部１１０は、モノクロ印刷時で、且つ、高温高湿環境であることを検知した場合に、ブラックの転写ローラ７４Ｋの直後のイエロー、マゼンタおよびシアンの転写ローラ７４Ｙ、７４Ｍ、７４Ｃに印加する転写バイアスを、ＲＯＭ１１１ａに記憶された転写電流値に基づいて、カラー印刷時の転写バイアスよりも大きくなるように制御する。【選択図】図２
2011209361.tif 000002
【特許請求の範囲】
【請求項１】
転写媒体上にモノクロ画像を形成するモノクロ印刷モードと、転写媒体上にカラー画像を形成するカラー印刷モードとを有する画像形成装置であって、
少なくとも前記モノクロ印刷モード時に使用する第１像担持体と、前記転写媒体の移動方向において前記第１像担持体の下流側に配置されるとともに前記カラー印刷モード時に使用する第２像担持体と、前記転写媒体の移動方向において前記第２像担持体の下流側に配置されるとともに前記カラー印刷モード時に使用する第３像担持体と、を含む画像形成ユニットと、
前記第１像担持体、前記第２像担持体および前記第３像担持体のそれぞれに対応して設けられる各前記像担持体上に形成された現像剤像を転写バイアスにより転写媒体上に転写させる第１転写部材、第２転写部材および第３転写部材を含む転写ユニットと、
前記画像形成装置内の温度および湿度を検知する検知手段と、を備え、
前記第２転写部材および前記第３転写部材に印加される転写バイアスは、
モノクロ印刷モード時においては、前記検知手段に検知された温度および湿度が予め定められた第１所定値未満である場合よりも、前記第１所定値以上である場合の方が大きく、且つ、
前記検知手段に検知された温度および湿度が予め定められた第１所定値以上である場合においては、前記カラー印刷モード時よりも前記モノクロ印刷モード時の方が大きいことを特徴とする画像形成装置。
【請求項２】
前記画像形成ユニットは、
前記転写媒体の移動方向において前記第３像担持体の下流側に配置されるとともに前記カラー印刷モード時に使用する第４像担持体を含み、
前記転写ユニットは、
前記第４像担持体に対応して設けられる前記第４像担持体上に形成された現像剤像を転写バイアスにより転写媒体上に転写させる第４転写部材を含み、
前記第２転写部材、前記第３転写部材および前記第４転写部材に印加される転写バイアスは、
モノクロ印刷モード時においては、前記検知手段に検知された温度および湿度が予め定められた第１所定値未満である場合よりも、前記第１所定値以上である場合の方が大きく、且つ、
前記検知手段に検知された温度および湿度が予め定められた第１所定値以上である場合においては、前記カラー印刷モード時よりも前記モノクロ印刷モード時の方が大きいことを特徴とする請求項１に記載の画像形成装置。
【請求項３】
前記第２転写部材、前記第３転写部材および前記第４転写部材に印加される転写バイアスは、転写媒体の移動方向の下流側に向かうにつれて小さいことを特徴とする請求項２に記載の画像形成装置。
【請求項４】
前記第２転写部材、前記第３転写部材および前記第４転写部材に印加される転写バイアスは、
モノクロ印刷モード時においては、前記検知手段に検知された温度および湿度が予め定められた第２所定値以上である場合よりも、前記第２所定値未満である場合の方が小さく、且つ、
前記検知手段に検知された温度および湿度が予め定められた第２所定値以下である場合においては、前記カラー印刷モード時よりも前記モノクロ印刷モード時の方が小さいことを特徴とする請求項２または請求項３に記載の画像形成装置。
【発明の詳細な説明】
【技術分野】
【０００１】
本発明は、モノクロ印刷とカラー印刷の各印刷モードを有する画像形成装置に関する。
【背景技術】
【０００２】
従来、電子写真方式の画像形成装置として、モノクロ印刷モードとカラー印刷モードとを有するものが知られている。
【０００３】
例えば、特許文献１には、各色のトナーが収容された現像器と、各色に対応した感光体ドラムとを備え、各感光体ドラム上に形成されたトナー像を用紙に転写させる構成が記載されている。この感光体ドラムのうちブラックに対応する感光体ドラムは、用紙の搬送方向の最上流に配置されている。
【０００４】
この画像形成装置において、モノクロ印刷を行う場合は、モノクロ用のトナーのみを用いれば十分であるため、ブラックに対応する感光体ドラム上にブラックのトナー像を形成して、用紙に転写している。
【先行技術文献】
【特許文献】
【０００５】
【特許文献１】特開２００９−３３７７号公報
【発明の概要】
【発明が解決しようとする課題】
【０００６】
しかしながら、モノクロ印刷を行った場合、ブラックに対応する感光体ドラムよりも用紙搬送方向の下流側に配置されたカラーに対応する感光体ドラムと用紙上に形成されたブラックのトナーとが接触するため、ブラックのトナーがカラーに対応する感光体ドラムに付着（これを、「逆転写」と称する。）することがある。
【０００７】
特に、逆転写の起こりやすさは、画像形成装置内の環境によって変わる。例えば高温高湿環境において、転写媒体に転写されたトナーの電荷は、逃げやすいため、トナーの帯電量が低下しやすい。このように電荷が逃げたトナーが、次の色の感光体ドラムと接触する位置に来ると、トナーの帯電量が低いため、ブラックに対応する感光体ドラムよりも下流側に配置された感光体ドラムに逆転写し易くなる。
【０００８】
本発明は、上記の背景に鑑みてなされたもので、画像形成装置内の環境が変化した場合であっても、モノクロ印刷時にブラックに対応する感光体ドラムの下流側に配置された感光体ドラムへの逆転写の発生が抑制される画像形成装置を提供することを目的とする。
【課題を解決するための手段】
【０００９】
この目的を達成するために、請求項１に記載の発明は、転写媒体上にモノクロ画像を形成するモノクロ印刷モードと、転写媒体上にカラー画像を形成するカラー印刷モードとを有する画像形成装置であって、少なくとも前記モノクロ印刷モード時に使用する第１像担持体と、前記転写媒体の移動方向において前記第１像担持体の下流側に配置されるとともに前記カラー印刷モード時に使用する第２像担持体と、前記転写媒体の移動方向において前記第２像担持体の下流側に配置されるとともに前記カラー印刷モード時に使用する第３像担持体と、を含む画像形成ユニットと、前記第１像担持体、前記第２像担持体および前記第３像担持体のそれぞれに対応して設けられる各前記像担持体上に形成された現像剤像を転写バイアスにより転写媒体上に転写させる第１転写部材、第２転写部材および第３転写部材を含む転写ユニットと、前記画像形成装置内の温度および湿度を検知する検知手段と、を備え、前記第２転写部材および前記第３転写部材に印加される転写バイアスは、モノクロ印刷モード時においては、前記検知手段に検知された温度および湿度が予め定められた第１所定値未満である場合よりも、前記第１所定値以上である場合の方が大きく、且つ、前記検知手段に検知された温度および湿度が予め定められた第１所定値以上である場合においては、前記カラー印刷モード時よりも前記モノクロ印刷モード時の方が大きいことを特徴としている。
【００１０】
また、請求項２に記載の発明は、請求項１に記載の発明において、前記画像形成ユニットは、前記転写媒体の移動方向において前記第３像担持体の下流側に配置されるとともに前記カラー印刷モード時に使用する第４像担持体を含み、前記転写ユニットは、前記第４像担持体に対応して設けられる前記第４像担持体上に形成された現像剤像を転写バイアスにより転写媒体上に転写させる第４転写部材を含み、前記第２転写部材、前記第３転写部材および前記第４転写部材に印加される転写バイアスは、モノクロ印刷モード時においては、前記検知手段に検知された温度および湿度が予め定められた第１所定値未満である場合よりも、前記第１所定値以上である場合の方が大きく、且つ、前記検知手段に検知された温度および湿度が予め定められた第１所定値以上である場合においては、前記カラー印刷モード時よりも前記モノクロ印刷モード時の方が大きいことを特徴としている。
【００１１】
また、請求項３に記載の発明は、請求項２に記載の発明において、前記第２転写部材、前記第３転写部材および前記第４転写部材に印加される転写バイアスは、転写媒体の移動方向の下流側に向かうにつれて小さいことを特徴としている。
【００１２】
また、請求項４に記載の発明は、請求項２または請求項３に記載の発明において、前記第２転写部材、前記第３転写部材および前記第４転写部材に印加される転写バイアスは、モノクロ印刷モード時においては、前記検知手段に検知された温度および湿度が予め定められた第２所定値以上である場合よりも、前記第２所定値未満である場合の方が小さく、且つ、前記検知手段に検知された温度および湿度が予め定められた第２所定値以下である場合においては、前記カラー印刷モード時よりも前記モノクロ印刷モード時の方が小さいことを特徴としている。
【発明の効果】
【００１３】
請求項１に記載の発明によれば、第２転写部材および第３転写部材に印加される転写バイアスは、モノクロ印刷モード時においては、検知手段に検知された温度および湿度が予め定められた第１所定値未満である場合よりも、第１所定値以上である場合の方が大きく、且つ、検知手段に検知された温度および湿度が予め定められた第１所定値以上である場合においては、カラー印刷モード時よりもモノクロ印刷モード時の方が大きい。このような構成により、検知手段に検知された温度および湿度が予め定められた第１所定値以上の場合に、転写媒体上のブラックの現像剤は、転写媒体の移動中に現像剤の電荷が空気中に逃げても、第２転写部材および第３転写部材からから電荷を得る。これにより、第１像担持体よりも下流に配置された像担持体への現像剤の逆転写が抑制される。
【００１４】
また、請求項２に記載の発明によれば、第２転写部材、第３転写部材および第４転写部材に印加される転写バイアスは、モノクロ印刷モード時においては、検知手段に検知された温度および湿度が予め定められた第１所定値未満である場合よりも、第１所定値以上である場合の方が大きく、且つ、検知手段に検知された温度および湿度が予め定められた第１所定値以上である場合においては、カラー印刷モード時よりもモノクロ印刷モード時の方が大きい。このような構成により、転写媒体上のブラックの現像剤は、第２転写部材、第３転写部材および第４転写部材から十分な電荷を得ることができるので、第１像担持体よりも下流に配置された像担持体への現像剤の逆転写を抑制することができる。
【００１５】
また、請求項３に記載の発明によれば、第２転写部材、第３転写部材および第４転写部材に印加される転写バイアスは、転写媒体の移動方向の下流側に向かうにつれて小さい。このような構成により、第２転写部材、第３転写部材および第４転写部材に高いバイアス値を印加することで、ブラックの現像剤の帯電量が増加しすぎることを防止することができる。
【００１６】
また、請求項４に記載の発明によれば、第２転写部材、第３転写部材および第４転写部材に印加される転写バイアスは、モノクロ印刷モード時においては、検知手段に検知された温度および湿度が予め定められた第２所定値以上である場合よりも、第２所定値未満である場合の方が小さく、且つ、検知手段に検知された温度および湿度が予め定められた第２所定値以下である場合においては、カラー印刷モード時よりもモノクロ印刷モード時の方が小さい。このような構成により、第２転写部材、第３転写部材および第４転写部に印加するバイアスを低くすることで、第２転写部材、第３転写部材および第４転写部から現像剤に供給される電荷量が少なくし、検知手段に検知された温度および湿度が予め定められた第２所定値以下の場合に像担持体と転写部材との間で起こりやすい放電を抑制することができる。
【図面の簡単な説明】
【００１７】
【図１】本発明の実施形態に係る画像形成装置の側断面図
【図２】制御装置の構成を示すブロック図
【図３】（ａ）カラー印刷モード時の感光体ドラムと現像ローラの接触を説明する説明図、（ｂ）モノクロ印刷モード時の感光体ドラムと現像ローラの離間を説明する説明図
【図４】各環境時に応じた転写電流値テーブルを示す図
【図５】印刷するモード及び本体筐体内の環境に応じて転写電流値を決定するフローチャートの処理手順を説明するフローチャート
【図６】用紙に画像形成を形成する処理手順を示すフローチャート
【図７】変形例の各環境に応じた転写電流値テーブルを示す図
【発明を実施するための形態】
【００１８】
＜カラープリンタの全体構成＞
図１に示すように、カラープリンタ１は、装置本体２内に、転写媒体の一例としての用紙Ｐを供給する給紙部２０と、給紙された用紙Ｐに画像を形成する画像形成部３０と、画像が形成された用紙Ｐを排出する排紙部９０と、制御手段の一例としての制御装置１００とを備えている。
【００１９】
なお、以下の説明において、特に断りがない限り図１に示した上下方向を上下、図１における右側を後、左側を前、紙面の奥側を左、紙面の手前側を右として、各方向を示す。
【００２０】
装置本体２の上部には、開口部２Ａが形成されている。そして、この開口部２Ａは、装置本体２に回動可能に支持されるアッパーカバー３によって開閉されるようになっている。アッパーカバー３の上面は、装置本体２から排出された用紙Ｐを蓄積する排紙トレイ４となっており、下面にはＬＥＤユニット４０を保持する複数のＬＥＤ取付部材５が設けられている。
【００２１】
（１）給紙部
給紙部２０は、装置本体２内の下部に設けられ、装置本体２に着脱自在に装着される給紙トレイ２１と、給紙ローラ２２、分離ローラ２３および分離パッド２４を備えている。
【００２２】
このように構成される給紙部２０では、給紙トレイ２１内の用紙Ｐが、一枚ずつ分離されて上方へ送られ、画像形成部３０に供給される。
【００２３】
（２）画像形成部
画像形成部３０は、４つのＬＥＤユニット４０と、画像形成ユニットの一例としての４つのプロセスカートリッジ５０と、転写ユニット７０と、定着ユニット８０とから主に構成されている。
【００２４】
（２−１）ＬＥＤユニット
ＬＥＤユニット４０は、ＬＥＤ取付部材５に連結されており、装置本体２に設けられる位置決め部材（図示せず）によって適宜位置決めされて支持されている。
【００２５】
（２−２）プロセスカートリッジ
プロセスカートリッジ５０は、アッパーカバー３と給紙部２０との間で前後方向に並んで配置され、静電潜像が形成される感光体ドラム５１や、帯電器５２、現像ローラ５３、現像剤の一例としてのトナーを収容するトナー収容室５４などを備えている。
【００２６】
プロセスカートリッジ５０は、ブラック用、イエロー用、マゼンタ用およびシアン用の各色のトナーが入った５０Ｋ，５０Ｙ，５０Ｍ，５０Ｃの符号で示すものが用紙Ｐの搬送方向上流からこの順で並んで配置されている。なお、本明細書および図面において、トナーの色に対応した感光体ドラム５１、帯電器５２、現像ローラ５３および転写ローラ７４を特定する場合には、ブラック、イエロー、マゼンタ、シアンのそれぞれに対応させて、Ｋ、Ｙ、Ｍ、Ｃの記号を付することとする。
【００２７】
感光体ドラム５０は、図１または図３に示すように、第１像担持体の一例としての感光体ドラム５１Ｋと、第２像担持体の一例としての感光体ドラム５１Ｙと、第３像担持体の一例としての感光体ドラム５１Ｍと、第４像担持体の一例としての感光体ドラム５１Ｃとがある。
【００２８】
（２−３）転写ユニット
転写ユニット７０は、給紙部２０と各プロセスカートリッジ５０との間に設けられ、駆動ローラ７１、従動ローラ７２、搬送ベルト７３および転写ローラ７４を主に備えている。
【００２９】
駆動ローラ７１および従動ローラ７２は、前後方向に離間して平行に配置され、その間に無端状のベルトからなる搬送ベルト７３が張設されている。搬送ベルト７３は、その外側の面が各感光体ドラム５１に接している。また、搬送ベルト７３の内側には、各感光体ドラム５１との間で搬送ベルト７３を挟持する転写ローラ７４が、各感光体ドラム５１に対向して４つ配置されている。この転写ローラ７４には、転写時に定電流制御によって転写バイアスが印加される。
【００３０】
転写ローラは、第１転写部材の一例としての転写ローラ７４Ｋと、第２転写部材の一例としての転写ローラ７４Ｙと、第３転写部材の一例としての転写ローラ７４Ｍと、第４転写部材の一例としての転写ローラ７４Ｃとがある。
【００３１】
（２−４）定着ユニット
定着ユニット８０は、各プロセスカートリッジ５０および転写ユニット７０の後側に配置され、加熱ローラ８１と、加熱ローラ８１と対向配置され加熱ローラ８１を押圧する加圧ローラ８２とを備えている。
【００３２】
このように構成される画像形成部３０では、カラー印刷モードの場合、まず、各感光体ドラム５１の表面が、帯電器５２により一様に帯電された後、各ＬＥＤユニット４０で露光される。これにより、露光された部分の電位が下がって、各感光体ドラム５１上に画像データに基づく静電潜像が形成される。その後、静電潜像に現像ローラ５３よりトナーが供給されることで、感光体ドラム５１上にトナー像が担持される。
【００３３】
搬送ベルト７３上に供給された用紙Ｐが各感光体ドラム５１と搬送ベルト７３の内側に配置される各転写ローラ７４との間を通過することで、各感光体ドラム５１上に形成されたトナー像がＫ、Ｙ、Ｍ、Ｃの順に用紙Ｐ上に転写される。そして、用紙Ｐが加熱ローラ８１と加圧ローラ８２との間を通過することで、用紙Ｐ上に転写されたトナー像が熱定着される。
【００３４】
（３）排紙部
排紙部９０は、定着ユニット８０の出口から上方に向かって延び、前方に反転するように形成された排紙側搬送経路９１と、用紙Ｐを搬送する複数対の搬送ローラ９２を主に備えている。トナー像が転写され、熱定着された用紙Ｐは、搬送ローラ９２によって排紙側搬送経路９１を搬送され、本体筐体２の外部に排出されて排紙トレイ４に蓄積される。
【００３５】
〔電気的構成〕
次に、制御装置１００の構成について、図２を用いて説明をする。
【００３６】
制御装置１００は、制御部１１０と、記憶部１１１とを有している。
【００３７】
制御部１１０には、画像形成部３０と、指定された印刷モードに応じて現像ローラ５３Ｙ、５３Ｍ，５３Ｃを対応する感光体ドラム５１Ｙ、５１Ｍ，５１Ｃから接離させる接離機構１２０と、本体筐体２内の温度および湿度を検知する検知手段の一例としての温湿度検知部１３０とが電気的に接続されている。また制御部１１０は、転写ローラ７４Ｋ、７４Ｙ、７４Ｍ、７４Ｃに転写バイアスを印加する転写バイアス制御部１１０ａ（転写ユニットの一部を構成する）と、ＣＰＵ１１０ｂと、レーザプリンタが受信した印刷データをカラー印刷するのかモノクロ印刷するのかを判断する印刷モード判断部１１０ｃとを有している。
【００３８】
制御部１１０は、公知の接離機構１２０（図示せず）を制御することで、カラー印刷モード時においてはすべての現像ローラ５３Ｋ，５３Ｙ，５３Ｍ，５３Ｃをそれぞれ対応する感光体ドラム５１Ｋ，５１Ｙ，５１Ｍ，５１Ｃに接触させている（図３（ａ）参照）。
【００３９】
また、制御部１１０は、モノクロ印刷モード時においては、接離機構１２０を介してブラック用の現像ローラ５３Ｋのみが感光体ドラム５１Ｋに接触させ、その他の３色の現像ローラ５３Ｙ，５３Ｍ，５３Ｃは、対応する感光体ドラム５１Ｙ，５１Ｍ，５１Ｃから離間させる（図３（ｂ）参照）。
【００４０】
温湿度検出部１３０は、図１に示すように、給紙部２０の上方に設けられている。
【００４１】
転写バイアス制御部１１０ａは、後述する記憶部１１１のＲＯＭ１１１ａに記憶されている転写電流値テーブルに従って、各転写ローラ７４Ｋ、７４Ｙ、７４Ｍ、７４Ｃに転写バイアスを印加する。ここで、転写バイアスは、感光体ドラム５１Ｋ，５１Ｙ，５１Ｍ，５１Ｃ上のトナー像を搬送ベルト７３上で搬送される用紙Ｐに転写するために、感光体ドラム５１Ｋ，５１Ｙ，５１Ｍ，５１Ｃと転写ローラ７４Ｋ、７４Ｙ、７４Ｍ、７４Ｃとの間に印加される電圧である。本実施形態においては、転写バイアスは、転写電流（感光体ドラム５１と転写ローラ７４とを通じて流れる電流）が一定になるように定電流制御される。なお、転写バイアスの制御方法は、定電流制御に限らず、定電圧制御で行っても構わない。
【００４２】
記憶部１１１は、ＲＯＭ１１１ａおよびＲＡＭ１１１ｂを有している。
【００４３】
ＲＯＭ１１１ａには、レーザプリンタ１を制御するための各種制御プログラムや各種設定、初期値等が記憶されている。例えば、ＲＯＭ１１１ａには、図４に示すような、各環境に応じたモノクロ印刷モード時およびカラー印刷モード時の転写電流値テーブルが記憶されている。
【００４４】
なお、本実施形態では第１所定値の一例として温度３０℃以上、且つ、湿度７０％以上の場合を高温高湿環境に対応させ、第２所定値の一例として温度２５℃未満、且つ、湿度２０％未満の場合を低温低湿環境に対応させている。この第１所定値および第２所定値は、画像形成装置内の温度および湿度の要因によりモノクロ印刷モード時に逆転写が起こる温度および湿度で適宜決定されるものである。また、第１所定値未満且つ第２所定値以上の場合を通常環境としている。
【００４５】
より具体的には、ＲＯＭ１１１ａには、図４に示すように、モノクロ印刷モードかつ高温高湿環境のイエロー、マゼンタおよびシアンの転写電流値であって、カラー印刷モードかつ高温高湿環境のイエロー、マゼンタおよびシアンの転写電流値よりも大きい転写電流値が記憶されている。
【００４６】
また、モノクロ印刷モードでかつ高温高湿環境のイエロー、マゼンタおよびシアンの転写電流値は、モノクロ印刷モードかつ通常環境および低温低湿環境のイエロー、マゼンタおよびシアンの転写電流値よりも大きい値となっている。
【００４７】
また、ＲＯＭ１１１ａには、モノクロ印刷モードかつ低温低湿環境のイエロー、マゼンタおよびシアンの転写電流値であって、カラー印刷モードかつ低温低湿環境のイエローの転写電流値、マゼンタおよびシアンの転写電流値よりも小さい値が記憶されている。
【００４８】
またモノクロ印刷モードかつ低温低湿環境のイエロー、マゼンタおよびシアンの転写電流値は、モノクロ印刷モードかつ高温高湿環境および通常環境のイエロー、マゼンタおよびシアンの転写電流値よりも小さい値となっている。
【００４９】
またＲＯＭ１１１ａには、本体筐体２内が通常環境時のモノクロ印刷モード時のイエローの転写電流値であって、カラー印刷モード時のイエローの転写電流値よりも大きい転写電流値が記憶されている。
【００５０】
ＲＡＭ１１１ｂは、読み出された各種制御プログラムを一時的に記憶する作業領域として、あるいは画像データを一時的に記憶する記憶領域として利用される。例えば、温湿度検知部１３０により検知された結果に基づく転写電流値が記憶されている。
【００５１】
ＣＰＵ１１０ｂは、ＲＯＭ１１１ａから読み出された制御プログラムに従って、その処理結果をＲＡＭ１１１ｂに記憶させながら、制御部１１０を介してレーザプリンタの各構成要素を制御する。
【００５２】
〔制御部の動作〕
図５は、印刷するモード及び本体筐体内の環境に応じて転写電流値を決定するフローチャートの処理手順を説明するフローチャートである。
【００５３】
温湿度検知部１３０は、ステップＳ２０１（以下、単にＳ２０１と称する）において、本体筐体内の温度および湿度を検知する。
【００５４】
そして、Ｓ２０２において、制御部１１０は、温湿度検知部１３０の結果に基づいて、高温高湿環境かを判断する。
【００５５】
Ｓ２０２において、制御部１１０が高温高湿環境であると判断した場合（Ｓ２０２、ＹＥＳ）、印刷モード判断部１１０ｃは、Ｓ２０３において、受信されたデータがモノクロ印刷モードで印刷するのかを判断する。
【００５６】
Ｓ２０３において、印刷モード判断部１１０ｃが受信した印刷データをモノクロ印刷モードで印刷すると判断した場合（Ｓ２０３、ＹＥＳ）、制御部１１０は、Ｓ２０４において、ＲＯＭ１１１ａに記憶された各転写ローラ７４Ｋ、７４Ｙ、７４Ｍ、７４Ｃのモノクロ印刷モードかつ高温高湿環境時の転写電流値をＲＡＭ１１１ｂに記憶させる。具体的には、図４に示すように、制御部１１０は、ブラック（Ｋ）は−１５μＡ、イエロー（Ｙ）は−２２μＡ、マゼンタ（Ｍ）は−１９μＡ、シアン（Ｃ）は−１７μＡ、の転写電流値をＲＡＭ１１１ｂに記憶させる。
【００５７】
また、Ｓ２０３において、印刷モード判断部１１０ｃが受信した印刷データをカラー印刷モードで印刷すると判断した場合（Ｓ２０３、ＮＯ）、制御部１１０は、Ｓ２０５において、ＲＯＭ１１１ａに記憶された各転写ローラ７４Ｋ、７４Ｙ、７４Ｍ、７４Ｃのカラー印刷モードかつ高温高湿環境時の転写電流値をＲＡＭ１１１ｂに記憶させる。具体的には、図４に示すように、制御部１１０は、ブラック（Ｋ）は−１５μＡ、イエロー（Ｙ）は−１１μＡ、マゼンタ（Ｍ）は−１５μＡ、シアン（Ｃ）は−１５μＡ、の転写電流値をＲＡＭ１１１ｂに記憶させる。
【００５８】
一方、Ｓ２０２において、制御部１１０が高温高湿環境でないと判断した場合（Ｓ２０２、ＮＯ）、制御部１１０は、Ｓ２０６において、温湿度検知部１３０の結果に基づいて低温低湿環境かを判断する。
【００５９】
Ｓ２０６において、制御部１１０が低温低湿環境であると判断した場合（Ｓ２０６、ＹＥＳ）、印刷モード判断部１１０ｃは、Ｓ２０７において、受信されたデータがモノクロ印刷モードで印刷するのかを判断する。
【００６０】
Ｓ２０７において、印刷モード判断部１１０ｃが受信した印刷データをクロ印刷モードで印刷すると判断した場合（Ｓ２０７、ＹＥＳ）、制御部１１０は、Ｓ２０８において、ＲＯＭ１１１ａに記憶された各転写ローラ７４Ｋ、７４Ｙ、７４Ｍ、７４Ｃのモノクロ印刷モードかつ低温低湿環境時の転写電流値をＲＡＭ１１１ｂに記憶させる。具体的には、図４に示すように、制御部１１０は、ブラック（Ｋ）は−１４μＡ、イエロー（Ｙ）は−１０μＡ、マゼンタ（Ｍ）は−９μＡ、シアン（Ｃ）は−７μＡ、の転写電流値をＲＡＭ１１１ｂに記憶させる。
【００６１】
また、Ｓ２０７において、印刷モード判断部１１０ｃが受信した印刷データをカラー印刷モードで印刷すると判断した場合（Ｓ２０７、ＮＯ）、制御部１１０は、Ｓ２０９において、ＲＯＭ１１１ａに記憶された各転写ローラ７４Ｋ、７４Ｙ、７４Ｍ、７４Ｃのカラー印刷モードかつ低温低湿環境時の転写電流値をＲＡＭ１１１ｂに記憶させる。具体的には、図４に示すように、制御部１１０は、ブラック（Ｋ）は−１４μＡ、イエロー（Ｙ）は−１１μＡ、マゼンタ（Ｍ）は−１５μＡ、シアン（Ｃ）は−１５μＡ、の転写電流値をＲＡＭ１１１ｂに記憶させる。
【００６２】
一方、Ｓ２０６において、制御部１１０が低温低湿環境でないと判断した場合（Ｓ２０６、ＮＯ）、印刷モード判断部１１０ｃは、Ｓ２１０において、受信されたデータがモノクロ印刷モードで印刷するのかを判断する。
【００６３】
Ｓ２１０において、印刷モード判断部１１０ｃが受信した印刷データをモノクロ印刷モードで印刷すると判断した場合（Ｓ２１０、ＹＥＳ）、制御部１１０は、Ｓ２１１において、ＲＯＭ１１１ａに記憶された各転写ローラ７４Ｋ、７４Ｙ、７４Ｍ、７４Ｃのモノクロ印刷モードかつ通常環境時の転写電流値をＲＡＭ１１１ｂに記憶させる。具体的には、図４に示すように、制御部１１０は、ブラック（Ｋ）は−１５μＡ、イエロー（Ｙ）は−１７μＡ、マゼンタ（Ｍ）は−１２μＡ、シアン（Ｃ）は−９μＡ、の転写電流値をＲＡＭ１１１ｂに記憶させる。
【００６４】
また、Ｓ２１０において、印刷モード判断部１１０ｃが受信した印刷データをモノカラー印刷モードで印刷すると判断した場合（Ｓ２１０、ＮＯ）、制御部１１０は、Ｓ２１２において、ＲＯＭ１１１ａに記憶された各転写ローラ７４Ｋ、７４Ｙ、７４Ｍ、７４Ｃのカラー印刷モードかつ通常環境時の転写電流値をＲＡＭ１１１ｂに記憶させる。具体的には、図４に示すように、制御部１１０は、ブラック（Ｋ）は−１５μＡ、イエロー（Ｙ）は−１１μＡ、マゼンタ（Ｍ）は−１４μＡ、シアン（Ｃ）は−１５μＡ、の転写電流値をＲＡＭ１１１ｂに記憶させる。
【００６５】
このように制御部１１０は、印刷するモード及び本体筐体２内の温度および湿度に応じて転写電流値を決定する。
【００６６】
図６は、用紙に画像形成を形成する処理手順を示すフローチャートである。
【００６７】
例えば、パーソナルコンピュータから印刷データに先行して印刷動作の開始を指示するコマンドが送信され、このコマンドを制御部１１０が受信すると、このフローが始まる。
【００６８】
制御部１１０は、ステップＳ１０１において、印刷データを受信する。
【００６９】
次に、Ｓ１０２において、制御部１１０は、印刷するモード及び本体筐体２内の温度および湿度に応じて転写電流値を決定する処理（図５に示す処理）を行う。
【００７０】
そして、制御部１１０は、Ｓ１０３において、受信した印刷データに基づいて接離機構１２０を制御する。具体的には、制御部１１０は、受信したデータにモノクロ印刷モードの指定があった場合は、ブラック用の現像ローラ５３Ｋのみを感光体ドラム５１Ｋに接触し、その他の３色の現像ローラ５３Ｙ，５３Ｍ，５３Ｃは、対応する感光体ドラム５１Ｙ，５１Ｍ，５１Ｃから離間させる。また、制御部１１０は、受信した印刷データにカラー印刷の指定があった場合は、すべての現像ローラ５３Ｋ，５３Ｙ，５３Ｍ，５３Ｃをそれぞれ対応する感光体ドラム５１Ｋ，５１Ｙ，５１Ｍ，５１Ｃに接触させる。
【００７１】
そして、制御部１１０は、Ｓ１０４において、用紙に画像を形成する動作を行う。このとき、転写バイアス制御部１１０ａは、ＲＡＭ１１１ｂに記憶された各転写ローラ７４Ｋ、７４Ｙ、７４Ｍ、７４Ｃの転写電流値となるように、転写バイアスを印加して、各感光体ドラム５１Ｋ，５１Ｙ，５１Ｍ，５１Ｃ上のトナー像を用紙に転写させる。
【００７２】
＜作用・効果＞
転写バイアス制御部１１０ａは、モノクロ印刷モード時で、且つ、高温高湿環境の場合に、ブラックの転写ローラ７４Ｋの直後のイエロー、マゼンタおよびシアンの転写ローラ７４Ｙ、７４Ｍ、７４Ｃに印加する転写バイアスを、カラー印刷モード時で、且つ、高温高湿環境の場合のイエロー、マゼンタおよびシアンの転写ローラに印加する転写バイアスよりも大きくなるように制御する。
【００７３】
また転写バイアス制御部１１０ａは、モノクロ印刷モード時で、且つ、高温高湿環境の場合に、ブラックの転写ローラ７４Ｋの直後のイエロー、マゼンタおよびシアンの転写ローラ７４Ｙ、７４Ｍ、７４Ｃに印加する転写バイアスを、モノクロ印刷モード時で、且つ、低温低湿環境および通常環境の場合のイエロー、マゼンタおよびシアンの転写ローラ７４Ｙ、７４Ｍ、７４Ｃに印加する転写バイアスよりも大きくなるように制御する。
【００７４】
このような構成により、高温高湿環境下で用紙に転写されたブラックのトナーの電荷が低減しても、イエロー、マゼンタおよびシアンの転写ローラ７４Ｙ、７４Ｍ、７４Ｃから十分な電荷を得るので、用紙の搬送中にブラックのトナーの電荷が低減することを抑制することができる。これにより、用紙上のブラックのトナーが、イエロー、マゼンタおよびシアンの感光体ドラム５１Ｙ，５１Ｍ，５１Ｃ上に逆転写することを抑制できる。
【００７５】
また、転写バイアス制御部１１０ａは、モノクロ印刷モード時で、且つ、低温低湿環境の場合に、イエロー、マゼンタおよびシアンの転写ローラ７４Ｙ、７４Ｍ、７４Ｃに印加する転写バイアスを、カラー印刷モード時で、且つ、低温低湿環境の場合の転写バイアス値よりも小さくなるように制御する。
【００７６】
また転写バイアス制御部１１０ａは、モノクロ印刷モード時で、且つ、低温低湿環境の場合に、イエロー、マゼンタおよびシアンの転写ローラ７４Ｙ、７４Ｍ、７４Ｃに印加する転写バイアスを、モノクロ印刷モード時で、且つ、高温高湿環境および通常環境の場合のイエロー、マゼンタおよびシアンの転写ローラ７４Ｙ、７４Ｍ、７４Ｃに印加する転写バイアスよりも小さくなるように制御する。
【００７７】
このような構成により、低温低湿環境下では、ブラックのトナーの電荷は逃げにくいため、モノクロ印刷モード時のイエロー、マゼンタおよびシアンの転写電流値をカラー印刷モード時よりも低くすることで、ブラックのトナーの帯電量の増加（チャージアップ）を防ぐことができる。これにより、ブラックのトナーが、チャージアップすることで起こる放電により、イエロー、マゼンタおよびシアンの感光体ドラム５１Ｙ，５１Ｍ，５１Ｃ上に逆転写することを抑制できる。
【００７８】
また、ＲＯＭ１１１ａにはモノクロ印刷モード時で、且つ、高温高湿環境の場合に、イエロー、マゼンタおよびシアンの転写電流値が、用紙の搬送方向の下流側に向かうにつれて小さい値が記憶されている。
【００７９】
このように構成により、高温高湿環境下で、トナーへ電荷を供給する量がトナーの電荷が低下する量よりも多くなることで、ブラックのトナーがチャージアップすることを防止することができる。その結果、ブラックのトナーが、チャージアップすることで起こる放電により、イエロー、マゼンタおよびシアンの感光体ドラム５１Ｙ，５１Ｍ，５１Ｃ上に逆転写することを抑制できる。
【００８０】
＜変形例＞
本実施形態では、各感光体ドラム５１Ｋ、５１Ｙ，５１Ｍ，５１Ｃ上のトナー像を直接用紙に転写するダイレクト型のカラープリンタについて記載したが、中間転写型のカラープリンタであっても同様の効果を得ることができる。中間転写型のカラープリンタの場合は、転写媒体はベルトに対応する。
【００８１】
また、本実施形態では、ＲＯＭ１１１ａには、本体筐体２内が高温高湿環境時のモノクロ印刷モード時のイエロー、マゼンタおよびシアンの転写電流値であって、カラー印刷時のイエロー、マゼンタおよびシアンの転写電流値よりも大きい転写電流値が記憶されていたが、ＲＯＭ１１１ａに、カラー印刷時とモノクロ印刷モード時の転写電流値の差が記憶されていてもよい。
【００８２】
また、本実施形態では、ＲＯＭ１１１ａには、本体筐体２内が高温高湿環境時のモノクロ印刷モード時のイエロー、マゼンタおよびシアンの転写電流値であって、カラー印刷時のイエロー、マゼンタおよびシアンの転写電流値よりも大きい転写電流値が記憶されているが、ＲＯＭ１１１ａに記憶されていなくてもよい。
【００８３】
例えば、モノクロ印刷モード用のイエロー、マゼンタおよびシアンの転写ローラに印加するバイアス印加手段と、カラー印刷用のイエロー、マゼンタおよびシアンの転写ローラに印加するバイアス印加手段とを設け、モノクロ印刷モード用のバイアス印加手段が、カラー用のバイアス印加手段よりも大きいバイアスを印加できるようにしても、本発明の効果と同様の効果を得ることができる。
【００８４】
また、本実施形態では、ＲＯＭ１１１ａには、本体筐体２内が高温高湿環境時のモノクロ印刷モード時のイエロー、マゼンタおよびシアンの転写電流値であって、カラー印刷時のイエロー、マゼンタおよびシアンの転写電流値よりも大きい転写電流値が記憶されているが、図７に示すように、モノクロ印刷モード時で、且つ、高温高湿環境時のイエローおよびマゼンタの転写電流値が、カラー印刷モード時で、且つ、高温高湿環境時のイエローおよびマゼンタの転写電流値よりも大きい転写電流値であり、さらに、通常環境時および低温低湿環境時のイエローおよびマゼンタの転写電流値よりも大きい転写電流値が記憶されていても、本発明の効果と同様の効果を得ることができる。
【００８５】
具体的には、ＲＯＭ１１１ａにはブラック（Ｋ）は−１５μＡ、イエロー（Ｙ）は−２５μＡ、マゼンタ（Ｍ）は−２０μＡ、シアン（Ｃ）は−１０μＡ、の転写電流値が記憶されている。即ち、シアン（Ｃ）の−１０μＡは、カラー印刷時のシアン（Ｃ）の転写電流値−１５μＡより小さい。
【００８６】
このように、高温高湿環境時のモノクロ印刷モード時のイエローおよびマゼンタの転写電流値が、高温高湿環境時のモノクロ印刷モード時のイエロー、マゼンタおよびシアンの転写電流値のイエローおよびマゼンタの転写電流値（図４参照）よりも高い転写電流値であるので、高温高湿環境時のモノクロ印刷モード時のシアンの転写電流値を低くすることができる。
【００８７】
また、本実施形態では、ブラックの感光体ドラム５１Ｋが用紙の移動方向の最上流に設けられていたが、ブラックの感光体ドラム５１Ｋが用紙の移動方向の最上流に設けられていなくてもよい。例えば、感光体ドラム５１の順番を用紙の移動方向にしたがって、シアンの感光体ドラム５１Ｃ、ブラックの感光体ドラム５１Ｋ、イエローの感光体ドラム５１Ｙ、マゼンタの感光体ドラム５１Ｍと並べても、本発明の効果と同様の効果を得ることができる。
【符号の説明】
【００８８】
１・・・レーザプリンタ、２・・・本体筐体、２１・・・給紙部、３０・・・画像形成部５０・・・プロセスカートリッジ、５１・・・感光体ドラム、５３・・・現像ローラ、７０・・・転写ユニット、７４・・・転写ローラ、９０・・・排紙部、１００・・・制御装置、１１０・・・制御部、１１０ａ・・・転写バイアス制御部、１１１・・・記憶部、１１１ａ・・・ＲＯＭ、１１１ｂ・・・ＲＡＭ、１２０・・・接離機構、１３０・・・温湿度検知部、Ｐ・・・用紙
【図１】
2011209361.tif 000003
【図２】
2011209361.tif 000004
【図３】
2011209361.tif 000005
【図４】
2011209361.tif 000006
【図５】
2011209361.tif 000007
【図６】
2011209361.tif 000008
【図７】
2011209361.tif 000009